【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
プラスチック再生方法であって、
プラスチック含量の高い混合物を受け取る工程、
該プラスチック含量の高い混合物が１以上の性質を有することを決定する工程、
該プラスチック含量の高い混合物を処理するための１以上の処理を選択する工程であって、該選択は、該プラスチック含量の高い混合物の該１以上の性質に基づき、該処理は、前処理操作、寸法減少操作、重力式濃縮操作、色による選別、厚み、摩擦、終速度差もしくは空気中での抵抗による選別、表面積対質量比による制御操作、狭い表面積対質量比の分布により向上された分離処理、混合操作、及び押出し配合操作からなる群から選択される、工程；
該選択された処理を一連の処理に並べる工程であって、その順番は該１以上の性質に基づく、工程、
該プラスチック含量の高い混合物を該一連の処理に供する工程、および
再生プラスチック材料を該一連の処理の産出物として収集する工程、
を包含する、方法。
【請求項２】
前記処理を選択する工程が、所望の再生プラスチック材料を決定すること、および前記再生プラスチック材料が該所望の再生プラスチック材料を含むように該処理を選択することを含むことを特徴とする、請求項１に記載の方法。
【請求項３】
前記１以上の処理を選択する工程が、少なくとも４つの処理を選択することを含むことを特徴とする、請求項１〜２のいずれかに記載の方法。
【請求項４】
前記プラスチック含量の高い混合物を一連の処理に供する工程が、プラスチック含量の高い混合物を分離して異なるグレードのプラスチック材料にすることを含むことを特徴とする、請求項１〜３のいずれかに記載の方法。
【請求項５】
前記プラスチック含量の高い混合物を一連の処理に供する工程が、プラスチック含量の高い混合物を分離して異なるタイプのプラスチック材料にすることを含むことを特徴とする、請求項１〜４のいずれか１項に記載の方法。
【請求項６】
前記プラスチック含量の高い混合物を、白物製品、オフィスオートメーション装置、家庭用電化製品、自動破砕機からの残滓、包装廃棄物、家庭廃棄物、建築廃棄物、工業的成形及び押出しスクラップからなる群から選択された源から、再生プラスチック材料の所望の１以上の性質に従って選択する工程を更に包含することを特徴とする、請求項１〜５のいずれか１項に記載の方法。
【請求項７】
前記プラスチック含量の高い混合物を、該プラスチック含量の高い混合物の源の地理学的な位置に基づき選択する工程を更に含むことを特徴とする、請求項１〜６のいずれか１項に記載の方法。
【請求項８】
前記プラスチック含量の高い混合物を選択する工程が、前記再生プラスチック材料の１以上の所望の性質を決定することを含むことを特徴とする、請求項１〜７のいずれかに記載の方法。
【請求項９】
前記１以上の処理が、その処理順序で繰り返されることを特徴とする、請求項１〜８のいずれか１項に記載の方法。
【請求項１０】
前記プラスチック含量の高い混合物を一連の処理に供する工程が、２以上の材料を混合して再生プラスチック材料の所望の性質を得ることを含むことを特徴とする、請求項１〜９のいずれか１項に記載の方法。
【請求項１１】
前記再生プラスチック材料と１以上の添加物とを混合する工程をさらに包含する、請求項１〜１０のいずれかに記載の方法。
【請求項１２】
再生プラスチック材料を前記一連の処理の産出物として収集する工程が、複数の再生プラスチック材料を回収することを含むことを特徴とする、請求項１〜１１のいずれかに記載の方法。
【請求項１３】
前記プラスチック含量の高い混合物を前記一連の処理に供する工程が、該一連の処理でプラスチック粒子の平均サイズを約７５ｍｍから約８ｍｍ未満に減少させること含むことを特徴とする、請求項１〜１２のいずれか１項に記載の方法。
【請求項１４】
前記プラスチック含量の高い混合物を一連の処理に供する工程が、該一連の処理における複数の処理にわたって、該一連の処理におけるプラスチック粒子の平均サイズを減少させることを含むことを特徴とする、請求項１３に記載の方法。
【請求項１５】
前記プラスチック含量の高い混合物を一連の処理に供する工程が、該プラスチック含量の高い混合物を寸法減少操作の前に前処理操作に供することを含むことを特徴とする、請求項１〜１４のいずれかに記載の方法。
【請求項１６】
前記プラスチック含量の高い混合物を一連の処理に供する工程が、該プラスチック含量の高い混合物を空気の吸気を含む前処理段階に供すること含むことを特徴とする、請求項１
〜１５のいずれかに記載の方法。
【請求項１７】
前記プラスチック含量の高い混合物を一連の処理に供する工程が、該プラスチック含量の高い混合物を１以上の湿式造粒寸法減少操作に供することを含むことを特徴とする、請求項１〜１６のいずれかに記載の方法。
【請求項１８】
前記プラスチック含量の高い混合物を一連の処理に供する工程が、該プラスチック含量の高い混合物を１以上の重力式濃縮操作に供することを含むことを特徴とする、請求項１〜１７のいずれかに記載の方法
【請求項１９】
前記プラスチック含量の高い混合物を１以上の重力式濃縮操作に供することが、該プラスチック含量の高い混合物を固体粒子媒体を用いる重力式濃縮操作に供することを含むことを特徴とする、請求項１８に記載の方法。
【請求項２０】
前記プラスチック含量の高い混合物を一連の処理に供する工程が、該プラスチック含量の高い混合物を１以上の先端が切りとられた円錐状の液体サイクロンまたは水簸試験器に供して、該プラスチック混合物から金属または対象としないプラスチックを除去することを含むことを特徴とする、請求項１〜１９のいずれかに記載の方法。
【請求項２１】
前記プラスチック含量の高い混合物を一連の処理に供する工程が、該プラスチック含量の高い混合物を３つの連続した重力式濃縮操作の配置に供することを含むことを特徴とする、請求項１〜２０のいずれかに記載の方法。
【請求項２２】
前記プラスチック含量の高い混合物を３つの連続した重力式濃縮操作の配置に供することが、該プラスチック含量の高い混合物を修正液体サイクロンに供して金属を除去し、修正液体サイクロン高密度のプラスチックを除去し、そして液体サイクロンに供して中間密度のプラスチックから低密度のプラスチックを分離することを含むことを特徴とする、請求項２１に記載の方法。
【請求項２３】
プラスチック含量の高い混合物を受け取る工程が、ＨＩＰＳ、ＡＢＳおよびＳＡＮを含むプラスチック含量の高い混合物を受け取ることを含み、
該プラスチック含量の高い混合物を一連の処理に供する工程が、該プラスチック含量の高い混合物を重力式濃縮操作に供して第一の流れおよび第二の流れを生成することを含み、該第一の流れは、該プラスチック含量の高い混合物よりもＨＩＰＳの割合が高く、該第二の流れは、該プラスチック含量の高い混合物および該第一の流れよりもＡＢＳおよびＳＡＮの割合が高い
ことを特徴とする、請求項１〜２２のいずれかに記載の方法。
【請求項２４】
プラスチック含量の高い混合物を受け取る工程が、第一のプラスチックのタイプの第一のグレード、および該第一のプラスチックのタイプの第二のグレードを含むプラスチック含量の高い混合物を受け取ることを含み、そして
該プラスチック含量の高い混合物を一連の処理に供する工程が、該プラスチック含量の高い混合物を重力式濃縮操作に供して第一の流れおよび第二の流れを生成することを含み、該第一の生成物の流れは、該プラスチック含量の高い混合物よりも該第一のプラスチックのタイプの第一のグレードの割合が高く、該第二の生成物の流れは、該プラスチック含量の高い混合物および該第一の生成物の流れよりも該第一のプラスチックのタイプの第二のグレードの割合が高い
ことを特徴とする、請求項１〜２３のいずれかに記載の方法。
【請求項２５】
前記プラスチック含量の高い混合物を一連の処理に供する工程が、該プラスチック含量の高い混合物を厚みまたは摩擦による選別に供することを含むことを特徴とする、請求項１〜２４のいずれかに記載の方法。
【請求項２６】
前記プラスチック含量の高い混合物を一連の処理に供する工程が、該プラスチック含量の高い混合物をゴムを除去する滑りシュート装置に供することを含むことを特徴とする、請求項１〜２５のいずれかに記載の方法。
【請求項２７】
プラスチック含量の高い混合物を受け取る工程が、ＨＩＰＳと、ＰＰ、ＡＢＳ、一般用ＰＳもしくは汚染物のうちの１以上とを含むプラスチック含量の高い混合物を受け取ることを含み、
該プラスチック含量の高い混合物を一連の処理に供する工程が、該プラスチック含量の高い混合物を厚みまたは摩擦による選別に供することを含み、そして
再生プラスチック材料を回収する工程が、該プラスチック含量の高い混合物よりもＨＩＰＳの割合が高い流れ、およびＰＰ、ＡＢＳ、一般用ＰＳもしくは汚染物を含む１以上の流れを回収することを含む
ことを特徴とする、請求項１〜２２および２４〜２６のいずれかに記載の方法。
【請求項２８】
プラスチック含量の高い混合物を受け取る工程が、ＡＢＳと、ＳＡＮ、ＨＩＰＳまたは汚染物のうちの１以上とを含むプラスチック含量の高い混合物を受け取ることを含み、
該プラスチック含量の高い混合物を一連の処理に供する工程が、該プラスチック含量の高い混合物を厚みまたは摩擦による選別に供することを含み、そして
再生プラスチック材料を回収する工程が、該プラスチック含量の高い混合物よりもＡＢＳの割合が高い流れ、およびＳＡＮ、ＨＩＰＳもしくは汚染物を含む１以上の流れを回収することを含む
ことを特徴とする、請求項１〜２２および２４〜２６のいずれかに記載の方法。
【請求項２９】
前記プラスチック含量の高い混合物を一連の処理に供する工程が、該プラスチック含量の高い混合物を表面積対質量比による制御操作に供することを含むことを特徴とする、請求項１〜２８のいずれかに記載の方法。
【請求項３０】
前記プラスチック含量の高い混合物を表面積対質量比による制御操作に供することが、寸法減少操作、空気の吸気、厚みまたは摩擦を用いる選別、ロール選別機のうちの１以上、あるいはそれらの組み合わせを含むことを特徴とする、請求項１〜２９のいずれかに記載の方法。
【請求項３１】
前記プラスチック含量の高い混合物を一連の処理に供する工程が、該プラスチック含量の高い混合物を重力式濃縮操作に供してプラスチック材料の１以上の流れを生成し、その後、該プラスチック材料の１以上の流れのうちの１つを摩擦静電気式分離に供することを含むことを特徴とする、請求項１〜３０のいずれかに記載の方法。
【請求項３２】
前記プラスチック含量の高い混合物を一連の処理に供する工程が、該プラスチック含量の高い混合物を表面積対質量比分離方法に供して複数の生成物を回収すること、および複数の生成物のうちの少なくとも１つを摩擦静電気式分離に供することを含むことを特徴とする、請求項１〜３１のいずれかに記載の方法。
【請求項３３】
前記プラスチック含量の高い混合物を一連の処理に供する工程が、該プラスチック含量の高い混合物を摩擦静電気式分離に供することを含むことを特徴とする、請求項１〜３２のいずれかに記載の方法。
【請求項３４】
前記プラスチック含量の高い混合物を摩擦静電気式分離に供することが、該プラスチック含量の高い混合物を電荷媒介材料が添加される摩擦静電気式分離に供することを含むことを特徴とする、請求項３３に記載の方法。
【請求項３５】
前記プラスチック含量の高い混合物を摩擦静電気式分離に供することが、摩擦静電気分離機を同調することを含み、該摩擦静電気分離機を同調することは、該摩擦静電気分離機の幾何学を選択すること、該摩擦静電気分離機の帯電したプレートの電荷を選択すること、該帯電したプレートの角度を選択すること、または該帯電したプレートに加える電圧を選択することを含むことを特徴とする、請求項３３〜３４のいずれかに記載の方法。
【請求項３６】
前記プラスチック含量の高い混合物を摩擦静電気式分離に供することが、該プラスチック含量の高い混合物を２以上の摩擦静電気分離機に順番に供することを含むことを特徴とする、請求項３３〜３５のいずれかに記載の方法。
【請求項３７】
前記プラスチック含量の高い混合物を摩擦静電気式分離に供することが、１以上の生成物の流れを第一段階の摩擦静電気分離機から送り、該第一段階の摩擦静電気分離機に戻すことを含むことを特徴とする、請求項３３〜３６のいずれかに記載の方法。
【請求項３８】
前記プラスチック含量の高い混合物を摩擦静電気式分離に供することが、１以上の生成物の流れを第二段階の摩擦静電気分離機から該第一段階の摩擦静電気分離機に送ることを含むことを特徴とする、請求項３３〜３７のいずれかに記載の方法。
【請求項３９】
前記プラスチック含量の高い混合物を摩擦静電気式分離に供することが、摩擦静電気分離機からの１以上の生成物の流れを表面積対質量比制御操作に供し、その後、引き続き摩擦静電気式分離に供することを含むことを特徴とする、請求項３３〜３８のいずれかに記載の方法。
【請求項４０】
プラスチック含量の高い混合物を受け取る工程が、ＡＢＳとＨＩＰＳとの混合物を受け取ることを含み、そして
再生プラスチック材料を回収する工程が、第一の産出物および第二の産出物を回収することを含み、第一の産出物は、該プラスチック含量の高い混合物よりもＡＢＳの割合が高く、該第二の産出物は、該プラスチック含量の高い混合物よりもＨＩＰＳの割合が高い、請求項３３〜３９のいずれかに記載の方法。
【請求項４１】
プラスチック含量の高い混合物を受け取る工程が、第一のプラスチックのタイプを受け取ることを含み、該第一のプラスチックのタイプの第一の部分は第一の性質を有し、そして該第一のプラスチックのタイプの第二の部分は第二の性質を有する、そして
再生プラスチック材料を回収する工程が、第一の産出物および第二の産出物を回収することを含み、第一の産出物は、該プラスチック含量の高い混合物よりも該第一のプラスチックのタイプの割合が高く、該第二の産出物は、該プラスチック含量の高い混合物および該第一の産出物よりも第二のプラスチックのタイプの割合が高い、
ことを特徴とする、請求項３３〜４０のいずれかに記載の方法。
【請求項４２】
前記プラスチック含量の高い混合物を一連の処理に供する工程が、
該プラスチック含量の高い混合物を、該プラスチック含量の高い混合物を複数の流れに分離する方法に供することを含み、該複数の流れは、第一の表面積対質量比を有する第一のプラスチックのタイプの第一の流れ、および第二の表面積対質量比を有する第一のプラスチックのタイプの第二の流れを含み、
該第一の流れと該第二の流れとを混合して、該第一の流れを該第二の流れと混ぜ合わせることを含む
ことを特徴とする、請求項１〜４１のいずれかに記載の方法。
【請求項４３】
前記プラスチック含量の高い混合物を一連の処理に供する工程が、該プラスチック含量の高い混合物を、摩擦静電気式分離に供することを含み、そして
再生プラスチック材料を回収する工程が、第一の産出物および第二の産出物を回収することを含み、該第一の産出物は、ＡＢＳを含み、該第二の産出物が、ＳＡＮを含み、該第一の産出物は、該第二の産出物よりもＳＡＮの割合が低く、該第二の産出物は、該第一の産出物よりもＡＢＳの割合が低い、請求項１〜２２、２４〜２６および２９〜３９のいずれかに記載の方法。
【請求項４４】
前記プラスチック含量の高い混合物を一連の処理に供する工程が、該プラスチック含量の高い混合物を、ＡＢＳを含む第一の流れとＳＡＮを含む第二の流れとを混ぜ合わせる混合操作に供することを含むことを特徴とする、請求項１〜２２、２４〜２６および２９〜３９のいずれかに記載の方法。
【請求項４５】
前記プラスチック含量の高い混合物を一連の処理に供する工程が、該プラスチック含量の高い混合物を、摩擦静電気式分離に供して、難燃性ＡＢＳからＰＣとＡＢＳとを分離すること含み、該プラスチック含量の高い混合物を一連の処理に供する工程が、該プラスチック含量の高い混合物を、摩擦静電気式分離に供して難燃性ＡＢＳからＰＣ／ＡＢＳブレンドを分離することを含むことを特徴とする、請求項１〜２２、２４〜２６および２９〜３９のいずれかに記載の方法。
【請求項４６】
前記プラスチック含量の高い混合物を一連の処理に供する工程が、該プラスチック含量の高い混合物を、摩擦静電気式分離に供して、非難燃性ＨＩＰＳから難燃性ＨＩＰＳを分離することを含むことを特徴とする、請求項１〜２２、２４〜２６および２９〜３９のいずれかに記載の方法。
【請求項４７】
前記プラスチック含量の高い混合物を一連の処理に供する工程が、該プラスチック含量の高い混合物を、混合操作に供することを含むことを特徴とする、請求項１〜４６のいずれかに記載の方法。
【請求項４８】
前記プラスチック含量の高い混合物を一連の処理に供する工程が、該プラスチック含量の高い混合物を、押出し配合に供することを含むことを特徴とする、請求項１〜４７のいずれかに記載の方法。
【請求項４９】
前記プラスチック含量の高い混合物を押出し配合に供することが、該プラスチック含量の高い混合物を、スクリーンパックを含む押出し配合に供することを含むことを特徴とする、請求項４８に記載の方法。
【請求項５０】
前記プラスチック含量の高い混合物を押出し配合に供することが、該プラスチック含量の高い混合物を、だんだんと微細になるメッシュのスクリーンを含む２以上の段階のスクリーンパックを含む押出し配合に供することを含むことを特徴とする、請求項４８に記載の方法。
【請求項５１】
プラスチック含量の高い混合物を受け取る工程が、臭素を含むプラスチックを受け取ることを含み、
再生プラスチック材料を回収する工程が、該臭素を含むプラスチックの少なくとも一部分を含む第一の産出物を回収すること、および該臭素を含むプラスチックを実質的に含まない第二の産出物を回収することを含むことを特徴とする、請求項１〜５０のいずれかに記載の方法。
【請求項５２】
前記プラスチック含量の高い混合物を一連の処理に供する工程が、重力式濃縮、色による選別、臭素を含む材料の検出と選択的排出、摩擦静電気式分離または厚みによる選別のうちの１以上を含むことを特徴とする、請求項５１に記載の方法。
【請求項５３】
再生プラスチック材料を回収する工程が、エンジニアリング熱可塑性プラスチックを回収することを含むことを特徴とする、請求項１〜５２のいずれかに記載の方法。
【請求項５４】
前記１以上の処理を選択する工程および該選択された処理を一連の処理に配列する工程が、前処理操作、その後の寸法減少操作、その後の重力式濃縮操作、その後の摩擦静電気式分離を含む該一連の処理を作成する、請求項１に記載の方法。
【請求項５５】
前記１以上の処理を選択する工程および該選択された処理を一連の処理に配列する工程が、寸法減少操作、その後の重力式濃縮操作、その後の摩擦静電気式分離を含む該一連の処理を作成する、請求項１に記載の方法。
【請求項５６】
前記１以上の処理を選択する工程および該選択された処理を一連の処理に配列する工程が、前処理操作、その後の寸法減少操作、その後の重力式濃縮操作、その後の摩擦静電気式分離を含む該一連の処理を作成する、請求項１に記載の方法。
【請求項５７】
前記１以上の処理を選択する工程および該選択された処理を一連の処理に配列する工程が、寸法減少操作、その後の重力式濃縮操作、その後の摩擦静電気式分離を含む該一連の処理を作成する、請求項１に記載の方法。
【請求項５８】
廃プラスチック材料を再生する装置であって、該装置は、請求項１〜５７のいずれかに記載の方法を実行するために構成される４以上の装置を備える、装置。
【手続補正２】
【補正対象書類名】明細書
【補正対象項目名】０００１
【補正方法】変更
【補正の内容】
【０００１】
（関連出願の相互参照）
本出願は、米国仮出願第６０／３７２，００１号（２００２年４月１２日出願）、同第６０／３９７，９４８号（２００２年７月２２日出願）、同第６０／３９７，８０８号（２００２年７月２２日出願）、同第６０／３９７，９５３号（２００２年７月２２日出願）、および同第６０／３９７，９８０号（２００２年７月２２日出願）の利益を主張するものであり、これらは、参考として本明細書中に援用される。また、本出願は、Ｌ．Ｅ．Ａｌｌｅｎ、ＩＩＩ，Ｂ．Ｌ．Ｒｉｉｓｅ，Ｒｏｎ  Ｃ．ＲａｕおよびＭｉｃｈａｅｌ  Ｂ．Ｂｉｄｄｌｅによる、２００３年４月１４日出願の、“再生プラスチックを含有する材料の組成物（Ｃｏｍｐｏｓｉｔｉｏｎｓ  ｏｆ  Ｍａｔｅｒｉａｌｓ  Ｃｏｎｔａｉｎｉｎｇ  Ｒｅｃｙｃｌｅｄ  Ｐｌａｓｔｉｃｓ）”という名称の、国際出願番号ＰＣＴ／ＵＳ０３／１１６０２に関連し、これはまた、参考として本明細書中に援用される。